(57)【特許請求の範囲】
【請求項１】
スプールの支持部内に挿着した軸受を介して、当該スプールをリール本体に固着した支軸に回転可能、且つ着脱機構を介してスプールを支軸に着脱可能に装着した魚釣用リールに於て、
上記支持部の支軸挿入開口部近傍に、当該支持部の外周に係止されるリング状のゴム部材と、当該ゴム部材を介して支持部に固定される抜止めプレートとからなる弾性係止手段を弾性係止し、当該弾性係止手段を介して上記軸受を支持部内に抜止め保持したことを特徴とする魚釣用リール。
【発明の詳細な説明】
【０００１】
【発明の属する技術分野】
本発明は魚釣用リールに係り、詳しくはリール本体に固着した支軸にスプールを着脱自在に装着する片軸受型リールに関する。
【０００２】
【従来の技術】
実開昭５８−１６４４７７号公報または図９に示すように、従来、片軸受型リール１は、リール本体３に固着した支軸５にスプール７が軸受９を介して回転可能且つ着脱機構１１を介して着脱自在に支持されており、軸受９は、巻取り駆動機構１３のピニオン１５とクラッチ係合するクラッチ係合部材（動力伝達部材）１７と共に、スプール７の中心軸と軸心を一致させてその内部に形成した筒状の支持部１９内に挿着されている。
【０００３】
そして、上記クラッチ係合部材１７の外周に嵌合固定した抜止め部材（クリック機構２１の鳴き歯車）２３によってクラッチ係合部材１７と軸受９の抜止めが図られており、市販されているこの種の多くの片軸受型リールでは、抜止め部材２３は支持部１９にネジ止めされている。
【０００４】
【発明が解決しようとする課題】
ところで、魚釣用リールは、海水や水，ゴミ等が浸入，付着し易い使用環境の厳しい状況下で使用される製品であるため、常時安定した性能を維持する上で定期的なメンテナンスが要求される。
【０００５】
しかし乍ら、上述した片軸受型リール１にあっては、支持部１９内の異物の除去や軸受９への注油等のメンテナンスを行う場合、ネジを緩めて支持部１９にネジ止めされた抜止め部材２３を取り外し、異物の除去や注油後、再度軸受９やクラッチ係合部材１７を支持部１９内に組み付けて、抜止め部材２３を支持部１９にネジ止めしなければならず、この一連の分解，組込み作業が煩雑で作業性が悪く、また、部品点数も多く、ネジや支持部側のネジ締付け用肉厚部が必要となるためリール全体が重量化してしまう等の課題が残されていた。
【０００６】
本発明は斯かる実情に鑑み案出されたもので、従来に比し構造が簡単で、メンテナンスの作業性に優れた魚釣用リールを提供することを目的とする。
【０００７】
【課題を解決するための手段】
斯かる目的を達成するため、請求項１に係る発明は、スプールの支持部内に挿着した軸受を介して、当該スプールをリール本体に固着した支軸に回転可能、且つ着脱機構を介してスプールを支軸に着脱可能に装着した魚釣用リールに於て、上記支持部の支軸挿入開口部近傍に、当該支持部の外周に係止されるリング状のゴム部材と、当該ゴム部材を介して支持部に固定される抜止めプレートとからなる弾性係止手段を弾性係止し、当該弾性係止手段を介して上記軸受を支持部内に抜止め保持したことを特徴とする。
【００１０】
（作用）
請求項１に係る発明によれば、支持部の支軸挿入開口部近傍に弾性係止したゴム部材と抜止めプレートが軸受を支持部内に抜止め保持し、ゴム弾性を利用した簡単な係脱作業で、支持部に対する軸受の着脱が行われることとなる。
【００１３】
【発明の実施の形態】
以下、本発明の実施形態を図面に基づき詳細に説明する。
【００１４】
図１乃至図５は請求項１に係る魚釣用リールの第一実施形態を示し、図１に於て、３１はリール本体３３に固着された支軸、３５は当該支軸３１に装着されたスプールで、スプール３５の内部には、その中心軸と軸心を一致させて筒状の支持部３７がリール本体３３方向に一体に突設されており、スプール３５は当該支持部３７内に挿着した二つの軸受３９，４１を介して支軸３１に回転可能に支持されている。
【００１５】
図２に示すように支持部３７は、内部の収納室４３の奥部に支軸挿通孔４５が開口し、また、収納室４３の内周に軸受３９を位置決めする段部４７が設けられており、当該収納室４３内に、二つの軸受３９，４１がカラー４９を挟んで支軸３１の軸方向に所定の間隔を開けて挿着されている。
そして、上記支軸挿通孔４５が開口するスプール３５先端の凹部５１には、押しボタン５３と、支軸３１の径方向へバネ５５で付勢された係止板５７とからなる従来周知のワンタッチ式の着脱機構５９が装着されており、押しボタン５３を内方へ押圧操作すると、図３に示すように係止板５７と支軸３１の挿入先端側に刻設された係止部６１との係止状態が解除されて、支持部３７内に軸受３９，４１やクラッチ係合部材（動力伝達部材）６３を挿着したまま、スプール３５が支軸３１から簡単に取り外せるようになっている。
【００１６】
図２乃至図４に示すようにクラッチ係合部材６３は支持部３７（収納室４３）の支軸挿入開口部３７ａ側に挿着されており、当該クラッチ係合部材６３は支持部３７内に挿着可能な外径を有している。そして、クラッチ係合部材６３の中央に形成された支軸挿通孔６５を挟んで、内側が平面状に形成され外周が円弧状に形成された一対のクラッチ係合片６７が一方向に対向して突設されている。
【００１７】
また、支持部３７の支軸挿入開口部３７ａの周壁には、上記クラッチ係合片６７の外形形状と一致する一対の断面円弧状の係合片７５が対向して設けられており、支軸挿入開口部３７ａから収納室４３内に軸受３９，４１とカラー４９，クラッチ係合部材６３を順次挿着すると、図３及び図５に示すように係合片７５とクラッチ係合片６７とが重合して、クラッチ係合部材６３が支軸挿入開口部３７ａに位置するようになっている。そして、図４に示すように上記係合片７５の端部側外周に、その周方向に沿ってＯ−リング取付溝７７が設けられている。
【００１８】
そして、上記支持部３７からの軸受３９，４１とカラー４９，クラッチ係合部材６３の抜止めを図るため、抜止めプレート７９とＯ−リング（ゴム部材）８１からなる弾性係止手段８３が用いられている。
図４に示すように抜止めプレート７９は円盤状のプレートで、その中央に支軸挿通孔８５が形成され、そして、重合したクラッチ係合片６７と係合片７５との形状に一致する一対の突片係合孔８７が支軸挿通孔８５を挟んで形成されており、重合するクラッチ係合片６７と係合片７５を当該突片係合孔８７に係合させて、抜止めプレート７９を支持部３７に当接させた後、上記Ｏ−リング取付溝７７にＯ−リング８１を係止させることで、支持部３７（収納室４３）内での軸受３９，４１とカラー４９，クラッチ係合部材６３の抜止め保持が図られるようになっている。そして、図５に示すように突片係合孔８７から突出する一対のクラッチ係合片６７と係合片７５に挟まれた凹状のクラッチ係合部７３に、ピニオン６９のクラッチ係合突起７１が係脱可能となっている。
【００１９】
而して、図１に示すようにピニオン６９は、支軸３１に回転可能且つその軸方向へ摺動可能に嵌合されており、その一端側に、上記クラッチ係合部７３に係脱可能な平面視略小判形状のクラッチ係合突起７１が形成されている。そして、当該ピニオン６９に、リール本体３３に装着したハンドル８９のハンドル軸９１に取り付くドライブギヤ９３が噛合しており、クラッチ係合部７３にクラッチ係合突起７１がクラッチ係合した状態（クラッチＯＮ）でハンドル８９を巻取り操作すると、従来と同様、その動力がハンドル軸９１，ドライブギヤ９３，ピニオン６９等の巻取り駆動機構９５からクラッチ係合部材６３，抜止めプレート７９を介してスプール３５に伝達されて、スプール３５が回転するようになっている。
【００２０】
また、リール本体３３には、クラッチレバー９７やピニオン６９の外周に設けた係止溝９９に係止するクラッチプレート１０１，そして、ハンドル軸９１の挿入先端側に取り付いてこれと一体回転するクラッチ復帰体１０３等からなる従来周知のクラッチ機構１０５が装着されており、クラッチレバー９７の操作でクラッチ係合部７３とクラッチ係合突起７１とのクラッチ係合を解除すると、クラッチ機構１０５がクラッチＯＦＦとなってスプールフリー状態となり、そして、斯かる状態でハンドル８９を巻取り方向へ操作すると、クラッチ復帰体１０３によりクラッチ係合突起７１がクラッチ係合部７３にクラッチ係合して、クラッチ機構１０５がクラッチＯＮに復帰するようになっている。
【００２１】
その他、図１中、１０７は釣竿装着部を示す。
本実施形態に係る魚釣用リール１０９はこのように構成されているから、スプール３５は軸受３９，４１を介して支軸３１に回転可能に支持され、弾性係止手段８３が支持部３７（収納室４３）からの軸受３９，４１やカラー４９の抜止めを図ることとなる。
【００２２】
そして、クラッチレバー９７の操作で、クラッチ係合部７３とクラッチ係合突起７１とのクラッチ係合が解除されてクラッチ機構１０５がクラッチＯＦＦとなり、斯かる状態でハンドル８９を巻取り方向へ操作すればクラッチ機構１０５がクラッチＯＮに復帰し、クラッチＯＮの状態でハンドル８９を巻取り方向へ操作すると、その動力が巻取り駆動機構９５からクラッチ係合部材６３，抜止めプレート７９を介してスプール３５に伝達されて、スプール３５が回転することとなる。
【００２３】
また、着脱機構５９の押しボタン５３を内方へ押圧操作すると、図３に示すように係止部６１と係止板５７との係止状態が解除されて、支持部３７内に軸受３９，４１やクラッチ係合部材６３等を挿着した状態でスプール３５が支軸３１から取り外せることとなる。
【００２４】
そして、メンテナンスを行う場合、Ｏ−リング取付溝７７からＯ−リング８１を外して抜止めプレート７９を支持部３７から取り外せば、収納室４３から軸受３９，４１やカラー４９が取り出せることとなる。そして、軸受３９，４１への注油や清掃を行ったり収納室４３内の清掃を行い、また、軸受３９，４１やクラッチ係合部材６３の交換が必要な場合にこれらを交換した後、軸受３９，４１やカラー４９，クラッチ係合部材６３を順次収納室４３内に挿着して、再び抜止めプレート７９を支持部３７に取り付け、Ｏ−リング８１をＯ−リング取付溝７７に係止すれば、軸受３９，４１やカラー４９，クラッチ係合部材６３が収納室４３内に抜止め保持されることとなる。
【００２５】
このように、本実施形態は、従来のネジ止めに代え、抜止めプレート７９とＯ−リング８１からなる弾性係止手段８３によって支持部３７からの軸受３９，４１やカラー４９，クラッチ係合部材６３の抜止めを図り、また、Ｏ−リング８１をＯ−リング取付溝７７から外して抜止めプレート７９を支持部３７から取り外すという簡単な操作で、軸受３９，４１への注油や清掃，軸受３９，４１やクラッチ係合部材６３の交換といったメンテナンス作業が工具を用いず容易に行え、また、軸受３９，４１やクラッチ係合部材６３の取付けも工具を用いることなく容易に行えることとなった。
【００２６】
而も、本実施形態によれば、ネジや支持部３７側のネジ締付け用肉厚部が不要となるため、従来に比し構成が簡単でリール全体の軽量化が図れる利点を有する。
図６乃至図８は請求項１に係る魚釣用リールの第二実施形態を示し、本実施形態は、軸受とカラーをクラッチ係合部材内に収納して、弾性係止手段でこれらの抜止め保持を図ったもので、以下、本実施形態を図面に基づき説明する。
【００２７】
尚、図１乃至図５に示す実施形態と同一のものは同一符号を以って表示する。図６に於て、３５-1はリール本体３３の支軸３１に装着可能なスプールで、当該スプール３５-1の内部にも、その中心軸と軸心を一致させて筒状の支持部３７-1が一体に突設されている。
【００２８】
図７に示すように支持部３７-1は、その内部の収納室４３-1の奥部に支軸３１の支軸挿通孔４５が開口し、当該支軸挿通孔４５が開口するスプール３５-1先端の凹部５１に着脱機構５９が装着されている。そして、着脱機構５９の押しボタン５３を内方へ押圧操作すると、図６に示すように支持部３７-1内に軸受３９-1，４１-1やクラッチ係合部材６３-1等を挿着した状態で、スプール３５-1が支軸３１から簡単に取り外せるようになっている。
【００２９】
図７及び図８に示すようにクラッチ係合部材６３-1は、上記収納室４３-1全体に挿着可能な外径を有する筒体からなり、その一端側に開口する開口部１１１から軸受３９-1，４１-1とカラー４９-1が挿着されるようになっている。
そして、開口部１１１近傍の内周に刻設された抜止めリング取付溝１１３にバネ状の抜止めリング１１５を係止して、開口部１１１からの軸受３９-1，４１-1とカラー４９-1の抜止めが図られている。また、クラッチ係合部材６３-1の他端側には、支軸挿通孔６５が開口する隔壁１１７が形成され、そして、上記クラッチ係合部材６３と同様、当該支軸挿通孔６５を挟んで一対のクラッチ係合片６７がその軸方向に突設されている。
【００３０】
一方、支持部３７-1の支軸挿入開口部３７ａ-1の周壁には、クラッチ係合片６７の外形形状と一致する一対の断面円弧状の係合片７５が設けられており、軸受３９-1，４１-1やカラー４９-1が収納されたクラッチ係合部材６３-1を支軸挿入開口部３７ａ-1から収納室４３-1内に挿着すると、係合片７５とクラッチ係合片６７とが重合するようになっている。そして、図８に示すように上記係合片７５の端部側外周に、Ｏ−リング取付溝７７がその周方向に沿って設けられている。
【００３１】
而して、支持部３７-1（収納室４３-1）からのクラッチ係合部材６３-1の抜止めを図るため、本実施形態に於ても、抜止めプレート７９とＯ−リング８１からなる弾性係止手段８３が用いられており、重合するクラッチ係合片６７と係合片７５を突片係合孔８７に係合させて、抜止めプレート７９を支持部３７-1に当接させた後、上記Ｏ−リング取付溝７７にＯ−リング８１を係止させることで、軸受３９-1，４１-1やカラー４９-1を収納したクラッチ係合部材６３-1の抜止め保持が図られている。そして、図６に示すように突片係合孔８７から突出する一対のクラッチ係合片６７と係合片７５に挟まれたクラッチ係合部７３に、ピニオン６９のクラッチ係合突起７１が係脱されるようになっている。
【００３２】
そして、その他の構成は図１乃至図５に示す実施形態と同様であるので、それらの説明は省略する。
本実施形態はこのように構成されているから、スプール３５-1は、クラッチ係合部材６３-1と共に軸受３９-1，４１-1を介して支軸３１に回転可能に支持され、そして、弾性係止手段８３が、支持部３７-1からの軸受３９-1，４１-1やカラー４９-1を収納したクラッチ係合部材６３-1の抜止めを図る。
【００３３】
また、着脱機構５９の押しボタン５３を内方へ押圧操作すると、図６に示すように係止部６１と係止板５７との係止状態が解除されて、支持部３７-1内にクラッチ係合部材６３-1を挿着した状態でスプール３５-1が支軸３１から取り外せることとなる。
而して、メンテナンスを行う場合、Ｏ−リング取付溝７７からＯ−リング８１を外して抜止めプレート７９を支持部３７-1から取り外せば、支持部３７-1（収納室４３-1）からクラッチ係合部材６３-1が取り出され、当該クラッチ係合部材６３-1の抜止めリング取付溝１１３から抜止めリング１１５を取り外せば、軸受３９-1，４１-1やカラー４９-1がクラッチ係合部材６３-1内から取り出されることとなる。
【００３４】
そして、軸受３９-1，４１-1への注油や清掃を行ったり収納室４３-1内の清掃を行い、また、軸受３９-1，４１-1やクラッチ係合部材６３-1の交換が必要な場合にこれらを交換した後、軸受３９-1，４１-1とカラー４９-1を再びクラッチ係合部材６３-1内に収納して抜止めリング取付溝１１３に抜止めリング１１５を係止し、当該クラッチ係合部材６３-1を収納室４３-1内に挿着して抜止めプレート７９を支持部３７-1に取り付け、Ｏ−リング８１をＯ−リング取付溝７７に係止することで、クラッチ係合部材６３-1が収納室４３-1内に抜止め保持されることとなる。
【００３５】
従って、本実施形態によっても、上記実施形態と同様、所期の目的を達成することができることは勿論、軸受３９-1，４１-1とカラー４９-1をクラッチ係合部材６３-1内に収納してこれらのユニット化を図ったため、これらを支持部３７-1内に一体的に着脱でき、この結果、本実施形態によれば、上記実施形態に比し取扱いも含めたメンテナンスの作業性が一段と向上する利点を有する。
【００３６】
【発明の効果】
以上述べたように、請求項１に係る魚釣用リールによれば、工具を用いず、ゴム弾性を利用した簡単な係脱作業でスプールを支軸する軸受の注油や清掃、或いは新規軸受との交換等のメンテナンスを簡単に行えると共に、従来の如きネジや支持部側のネジ締付け用肉厚部が不要となるため、従来に比し構造の簡素化とリール全体の軽量化が図れる利点を有する。
【図面の簡単な説明】
【図１】  請求項１の第一実施形態に係る魚釣用リールの断面図である。
【図２】スプールの軸受部分の分解断面図である。
【図３】スプールを支軸から取り外した魚釣用リールの断面図である。
【図４】スプールの軸受部分の分解斜視図である。
【図５】スプールの軸受部分の一部切欠き正面図である。
【図６】  請求項１の第二実施形態に係る魚釣用リールに装着するスプールの断面図である。
【図７】図６に示すスプールの軸受部分の分解断面図である。
【図８】図６に示すスプールの軸受部分の分解斜視図である。
【図９】従来の魚釣用リールの一部切欠き側面図である。
【符号の説明】
３１  支軸
３３  リール本体
３５，３５-1  スプール
３７，３７-1  支持部
３９，３９-1，４１，４１-1  軸受
５９  着脱機構
６３，６３-1  クラッチ係合部材
６７  クラッチ係合片
６９  ピニオン
７１  クラッチ係合突起
７５  係合片
７７  Ｏ−リング取付溝
７９  抜止めプレート
８１  Ｏ−リング
８３  弾性係止手段
８９  ハンドル
９１  ハンドル軸
９３  ドライブギヤ
９５  巻取り駆動機構
１０５  クラッチ機構
１０９  魚釣用リール
【図１】
0003974335.tif 000002
【図２】
0003974335.tif 000003
【図３】
0003974335.tif 000004
【図４】
0003974335.tif 000005
【図５】
0003974335.tif 000006
【図６】
0003974335.tif 000007
【図７】
0003974335.tif 000008
【図８】
0003974335.tif 000009
【図９】
0003974335.tif 000010